(57)【要約】【課題】遊戯者が変化に富んだ遊びをしたり、子供達の興味を引くことができる遊戯装置を提供する。【解決手段】遊戯装置１は、円板状に形成され、水平回転自在に設けられる回転体１０と、四角錐状に形成され、回転体１０の上面から一定間隔を隔てた上方位置に配置される上部部材１１と、回転体１０の上面中央部に立設され、上部部材１１の下面を支持する支柱１２と、直線状に形成されて軸線が上下方向に設けられるとともに、下端が回転体１０の上面に、上端が上部部材１１の下面に固設され、遊戯者Ｙが登り降りする複数のポール１３と、回転体１０を水平回転自在に支持する支持機構２０と、回転体１０を水平回転させる回転駆動機構２５と、回転体１０の上面を覆うように設けられたエアクッション３０とを備えて構成される。【選択図】図１
2011072801.tif 000002
【特許請求の範囲】
【請求項１】
水平回転自在に設けられる回転体と、
前記回転体に配設され、遊戯者に遊戯させるための遊戯用構造物と、
前記回転体を水平回転自在に支持する支持手段と、
前記回転体を水平回転させる回転駆動手段とを備え、
前記遊戯用構造物は、前記回転体の上面に固設された支持体と、前記支持体から吊り下げられて前記回転体の回転中心軸に対し偏心した位置に配置され、前記回転体の回転により前記回転中心軸回りに旋回移動する複数の旋回部材とからなり、
前記各旋回部材は、遊戯者が掴まってぶら下がる掴持部を備えてなることを特徴とする遊戯装置。
【請求項２】
前記支持体は、前記回転体の回転中心軸を中心として放射状且つ円周方向等間隔に配置され、一端側が前記回転体に接続し、他端側に前記各旋回部材がそれぞれ吊り下げられた複数の支持アームと、環状に形成され、前記各支持アームをそれぞれ連結，固定する連結部材とから構成されてなることを特徴とする請求項１に記載の遊戯装置。
【請求項３】
前記回転体の回転により前記回転中心軸回りに旋回移動する前記旋回部材の少なくとも下方領域に環状のクッションが設けられてなることを特徴とする請求項１又は２に記載の遊戯装置。
【発明の詳細な説明】
【技術分野】
【０００１】
本発明は、回転体の水平回転によりその感覚を楽しみながら各種遊戯を行うことができる遊戯装置に関する。
【背景技術】
【０００２】
回転体の回転によりその感覚を楽しむことができる遊戯装置として、従来、例えば、特開平８−２２９２４４号公報や特開２０００−２４３２８号公報に開示されたものが知られている。
【０００３】
特開平８−２２９２４４号公報の遊戯装置は、上下方向から若干傾斜した軸線中心に回転する回転軸を備え、コーヒーカップを模した形状に形成された搭乗部（回転体）と、この搭乗部を回転軸の軸線中心に回転自在に支持する支持機構などから構成される。この遊戯装置では、搭乗部が適宜回転することで、この搭乗部に搭乗した遊戯者は、搭乗部が回転するときの感覚を楽しむことができる。
【０００４】
また、特開２０００−２４３２８号公報の遊戯装置は、略水平に回転し、上面に遊戯者が搭乗可能に構成された回転台（回転体）と、この回転台を回転自在に支持する支持機構などから構成される。この遊戯装置では、回転台が適宜回転することで、この回転台に搭乗した遊戯者は、回転台が回転するときの感覚を楽しむことができる。
【０００５】
【特許文献１】特開平８−２２９２４４号公報
【特許文献２】特開２０００−２４３２８号公報
【発明の開示】
【発明が解決しようとする課題】
【０００６】
ところが、上記従来の遊戯装置では、当該遊戯装置における遊びが単調なものとなり易く、飽き易いという問題があった。また、これらの遊戯装置は、一般的なものであり、このような遊戯装置で遊び慣れた子供達に対して当該遊戯装置でまた遊ぼうという気持ちにさせ難いという問題もある。
【０００７】
本発明は、以上の実情に鑑みなされたものであって、遊戯者が変化に富んだ遊びをすることができるとともに、子供達の興味を引くことができる遊戯装置の提供をその目的とする。
【課題を解決するための手段】
【０００８】
上記目的を達成するための本発明は、
水平回転自在に設けられる回転体と、
前記回転体に配設され、遊戯者に遊戯させるための遊戯用構造物と、
前記回転体を水平回転自在に支持する支持手段と、
前記回転体を水平回転させる回転駆動手段とを備えてなることを特徴とする遊戯装置に係る。
【０００９】
この発明によれば、子供などの遊戯者は、回転駆動手段によって回転体が水平回転せしめられる中で遊戯用構造物により各種の遊びをすることができるので、回転体の水平回転によって遊戯用構造物が水平回転するときの感覚を楽しみつつ当該遊びを楽しむことができる。
【００１０】
このように、本発明に係る遊戯装置によれば、遊戯用構造物で遊ぶ遊戯者自身の動作と、回転体の水平回転に伴う遊戯用構造物自体の動作とが複合して、遊戯者は、従来にない、変化に富んだ遊びや感覚を楽しむことができる。また、回転体や遊戯用構造物、遊戯者の回転動作を見た、当該遊戯装置の周りにいる子供達に対し、当該遊戯装置で遊びたいという興味を持たせてこの遊戯装置で遊ばせるようにすることもできる。
【００１１】
尚、前記遊戯用構造物は、予め設定された方向に沿って形成され、前記回転体の上面であり且つ前記回転体の回転中心軸に対して偏心した位置に起立状態に設けられた複数のポールからなり、前記各ポールは、遊戯者が登り降り可能に構成されていても良い。
【００１２】
この場合、遊戯者は、回転体の回転によってこの回転体の回転中心軸回りに旋回移動するポールに手足を掛けてポールを登り降りすることで遊ぶことができる。ポールが回転体の回転中心軸回りに旋回移動しているので、遊戯者は、ポールとともに旋回移動するときの感覚を楽しみつつ当該遊びを楽しむことができる。
【００１３】
また、前記各ポールは、その両端部間に湾曲部又は屈曲部を備えて構成されていても良い。このようにすれば、ポール自体に変化を持たせて、ポールがまっすぐに形成されているときよりもポールの登り降りに変化を持たせたり、ポールの登り降りを難しくすることができ、当該遊戯装置での遊びをより面白いものとすることができる。
【００１４】
また、前記回転体の上面の、少なくとも前記ポール立設部周辺領域にはクッションが設けられていても良い。このようにすれば、遊戯者が誤ってポールから落下するようなことがあっても、クッションによって衝撃を緩和し、怪我するのを効果的に防止することができる。
【００１５】
また、前記遊戯用構造物は、前記回転体の上面に固設された支持体と、前記支持体から吊り下げられて前記回転体の回転中心軸に対し偏心した位置に配置され、前記回転体の回転により前記回転中心軸回りに旋回移動する複数の旋回部材とからなり、前記各旋回部材は、遊戯者が掴まってぶら下がる掴持部を備えて構成されていても良い。
【００１６】
この場合、遊戯者は、回転体の回転によってこの回転体の回転中心軸回りに旋回移動する旋回部材の掴持部に掴まってぶら下がったり、ぶら下がって旋回部材を揺することで遊ぶことができる。旋回部材が回転体の回転中心軸回りに旋回移動しているので、遊戯者は、ぶら下がった状態で旋回移動するときの感覚を楽しみつつ当該遊びを楽しむことができる。
【００１７】
また、前記支持体は、前記回転体の回転中心軸を中心として放射状且つ円周方向等間隔に配置され、一端側が前記回転体に接続し、他端側に前記各旋回部材がそれぞれ吊り下げられた複数の支持アームと、環状に形成され、前記各支持アームをそれぞれ連結，固定する連結部材とから構成されていても良い。このように、連結部材によって複数の支持アームをそれぞれ連結，固定すれば、各支持アームを等間隔で配置するのに好都合である。
【００１８】
また、前記回転体の回転により前記回転中心軸回りに旋回移動する前記旋回部材の少なくとも下方領域には環状のクッションが設けられていても良い。このようにすれば、遊戯者が誤って旋回部材から落下するようなことがあっても、クッションによって衝撃を緩和し、怪我するのを効果的に防止することができる。
【００１９】
また、前記遊戯用構造物は、前記回転体の上面に固設され、外部空間から仕切られた、遊戯者が遊戯する遊戯領域を形成するための枠体と、前記枠体に係着されて前記遊戯領域を形成する仕切部材と、前記遊戯領域を横切るように前記枠体に掛け渡された少なくとも１つのビームとから構成されたり、或いは、前記遊戯用構造物は、前記回転体の上面に固設され、外部空間から仕切られた、遊戯者が遊戯する遊戯領域を形成するための枠体と、前記枠体に係着されて前記遊戯領域を形成する仕切部材と、前記遊戯領域を少なくとも２つの階層状の空間に区分けする１又は複数の部材からなる床部とから構成されてなり、前記床部には、上下に隣り合う空間を互いに連通させる連通部が形成されていても良い。
【００２０】
この場合、遊戯者は、ジャングルジムのように、遊戯領域内を、ビームを伝って横方向や上下方向に移動したり、床部上を横方向に移動したり、床部の連通部から上下方向に移動することで遊ぶことができる。回転体の回転によってビーム又は床部が回転しているので、遊戯者は、ビーム又は床部が回転するときの感覚を楽しみつつ当該遊びを楽しむことができる。
【００２１】
また、前記回転体の上面の、少なくとも前記遊戯領域内にはクッションが設けられていても良い。このようにすれば、遊戯者が誤ってビームや床部から落下するようなことがあっても、クッションによって衝撃を緩和し、怪我するのを効果的に防止することができる。
【発明の効果】
【００２２】
以上のように、本発明に係る遊戯装置によれば、遊戯者自身の動作と回転体の回転に伴う動作とが複合して、遊戯者は、従来にない、変化に富んだ遊びや感覚を楽しむことができる。また、回転体や遊戯用構造物、遊戯者の回転動作を見た、当該遊戯装置の周りにいる子供達に対し、当該遊戯装置で遊びたいという興味を持たせてこの遊戯装置で遊ばせるようにすることもできる。
【発明を実施するための最良の形態】
【００２３】
以下、本発明の具体的な実施形態について、添付図面に基づき説明する。尚、図１は、本発明の一実施形態に係る遊戯装置の概略構成を示した斜視図である。また、図２は、図１に示した遊戯装置の断面図であり、図３は、図２における矢示Ａ−Ａ方向の断面図であり、図４は、図２における矢示Ｂ−Ｂ方向の断面図である。
【００２４】
図１乃至図４に示すように、本例の遊戯装置１は、円板状に形成され、水平回転自在に設けられる回転体１０と、四角錐状に形成され、回転体１０の上面から一定間隔を隔てた上方位置に配置される上部部材１１と、回転体１０の上面中央部に立設され、上部部材１１の下面を支持する支柱１２と、直線状に形成されて軸線が上下方向に設けられるとともに、下端が回転体１０の上面に、上端が上部部材１１の下面に固設され、子供などの遊戯者Ｙが登り降りする複数のポール１３と、回転体１０を水平回転自在に支持する支持機構２０と、回転体１０を水平回転させる回転駆動機構２５と、回転体１０の上面を覆うように設けられたエアクッション３０と、各ポール１３に一対一で対応するように上部部材１１の下面に配設され、ポール１３の上端部まで登った遊戯者Ｙによって押される押しボタン１９とを備えて構成される。
【００２５】
前記回転体１０は、上部円板１０ａとこの下側に設けられる下部円板１０ｂと、軸線が上下方向に設けられ、上端部が下部円板１０ｂの下面中央部に固設された回転軸１０ｃとからなり、回転軸１０ｃがその軸線中心に回転することで水平回転する。また、上部円板１０ａの方が下部円板１０ｂよりも横方向に大きく形成されている。また、前記上部部材１１の外面には適宜図示しない装飾が施されており、子供達の気を引くことができるようになっている。
【００２６】
前記ポール１３は、本例では、合計１２本設けられており、支柱１２の外周面から一定距離離れるようなピッチ円上に８本のポール１３が円周方向等間隔で、この８本のポール１３のピッチ円よりも大きいピッチ円上に４本のポール１３が円周方向等間隔で配置されている。また、ポール１３の下端部は回転体１０の上部円板１０ａの上面に設けられる。また、ポール１３は特許請求の範囲に言う遊戯用構造物である。
【００２７】
前記支持機構２０は、円板状に形成された基台２１と、環状に形成され、基台２１の上面に回転体１０の回転軸１０ｃと同軸に配設される軌条２２と、回転体１０の下部円板１０ｂの下面に回転軸１０ｃと同軸に配設された環状部材２３と、環状部材２３の軸線を中心とした所定のピッチ円上に位置するように円周方向等間隔でこの環状部材２３に取り付けられ、軌条２２に当接する複数の支持ローラ２４とからなり、各支持ローラ２４が軌条２２に沿って転がることで、回転体１０を水平回転自在に支持する。
【００２８】
前記回転駆動機構２５は、駆動モータ２６と、この駆動モータ２６の出力軸に固設された第１歯車（図示せず）と、回転体１０の回転軸１０ｃに固設され、第１歯車（図示せず）と噛合する第２歯車（図示せず）と、支持機構２０の基台２１の上面中央部に配設され、各歯車（図示せず）が収納されるとともに、側面に駆動モータ２６が配設された筐体状のケース２７とからなり、駆動モータ２６の回転動力が各歯車（図示せず）を介して回転軸１０ｃに伝達されることで回転体１０が水平回転する。
【００２９】
前記エアクッション３０は、可撓性を有し、回転体１０の上部円板１０ａの上面を覆うように設けられてこの上部円板１０ａとの間に閉塞空間を形成するシート部材３１と、前記閉塞空間内に空気を供給，充填して内圧を高め、シート部材３１を膨らませるブロワ３２とからなる。
【００３０】
前記シート部材３１は、ブロワ３２により充填された空気によって膨らんだときに、中央部に半球状をした部分が形成され、その周りに大きさの異なる２つの環状をした部分が形成されるように構成されている。また、シート部材３１は、その周縁部が上部円板１０ａの外周側下面に係着され、適宜位置には、支柱１２及び各ポール１３が上下に貫通する複数の貫通穴３１ａが形成される。尚、この貫通穴３１ａと支柱１２及び各ポール１３との間の隙間から空気が漏れないように気密に構成される。また、閉塞空間内は、上部円板１０ａの上面に係着された環状の仕切部３１ｂ，３１ｃによって複数の空間に仕切られており、仕切られた各空間は、適宜形成された連通孔３１ｄによって互いに連通している。
【００３１】
前記ブロワ３２は、上部円板１０ａの上面に配設されて前記閉塞空間内に配置されており、上部円板１０ａ及び下部円板１０ｂを貫通して設けられる吸気管３２ａと、前記閉塞空間内で開口する吐出管３２ｂとを備える。このブロワ３２が作動すると、吸気管３２ａからブロワ３２の内部に空気が吸気され、所定圧力の空気となって吐出管３２ｂから閉塞空間内に吐出される。
【００３２】
前記各押しボタン１９は、上部部材１１の下面などに適宜設けられたスピーカ（図示せず）や表示装置（図示せず）に接続された制御装置（図示せず）に信号を入力するためのものであり、制御装置（図示せず）は、各押しボタン１９から得られる信号を基にこれらの各押しボタン１９が押された順番を認識して、押しボタン１９の押された順番（即ち、遊戯者Ｙがポール１３を登り切った順番）をスピーカ（図示せず）や表示装置（図示せず）に出力する。
【００３３】
以上のように構成された本例の遊戯装置１によれば、まず、ブロワ３２が作動せしめられる。これにより、閉塞空間内に空気が供給，充填されて内圧が高められ、シート部材３１が膨らんだ状態となる。
【００３４】
ついで、回転駆動機構２５によって回転体１０が水平回転せしめられ、上部部材１１や支柱１２、ポール１３、エアクッション３０（膨らんだシート部材３１）などが回転体１０とともに一体的に回転する。これにより、ポール１３が回転体１０の回転軸１０ｃの軸線回りに旋回移動することとなる。
【００３５】
そして、遊戯者Ｙは、このようにして旋回移動するポール１３に手足を掛けてポール１３を登り降りすることで遊ぶことができる。ポール１３が回転軸１０ｃの軸線回りに旋回移動しているので、遊戯者Ｙは、ポール１３とともに旋回移動するときの感覚を楽しみつつ当該遊びを楽しむことができる。
【００３６】
また、ポール１３の上端部まで登った遊戯者Ｙによって押しボタン１９が押されると、制御装置（図示せず）に信号が入力されて押しボタン１９の押された順番が認識され、認識された順番が、スピーカ（図示せず）から音声で出力されたり、表示装置（図示せず）に画像出力されるので、遊戯者Ｙは、ポール１３を登る速さを競い合って遊ぶことができる。
【００３７】
このように、本例の遊戯装置１によれば、遊戯者Ｙは、ポール１３を登り降りする遊戯者Ｙ自身の動作と、ポール１３の旋回動作とが複合して、従来にない、変化に富んだ遊びや感覚を楽しむことができる。また、上部部材１１や支柱１２、ポール１３、エアクッション３０、遊戯者Ｙの回転動作を見た、当該遊戯装置１の周りにいる子供達に対し、当該遊戯装置１で遊びたいという興味を持たせてこの遊戯装置１で遊ばせるようにすることもできる。
【００３８】
また、回転体１０の上面にエアクッション３０が設けられているので、遊戯者Ｙが誤ってポール１３から落下するようなことがあっても、エアクッション３０によって衝撃を緩和し、怪我するのを効果的に防止することができる。
【００３９】
以上、本発明の一実施形態について説明したが、本発明の採り得る具体的な態様は、何らこれに限定されるものではない。
【００４０】
上例では、ポール１３を直線状に形成して軸線が上下方向に沿うように配置したが、これに限られるものではなく、例えば、図５及び図６に示す遊戯装置２のように、ポール１３の上端側が反るように湾曲させて形成しても良い。尚、図５は、本発明の他の実施形態に係る遊戯装置の概略構成を示した斜視図であり、図６は、図５に示した遊戯装置の断面図である。
【００４１】
前記遊戯装置２は、回転軸１０ｃを備えた円板状の回転体１０と、回転体１０の上面であり且つ回転軸１０ｃの軸線に対して偏心した位置に立設された２本のポール１３と、回転体１０を水平回転自在に支持する支持機構３５と、回転体１０を水平回転させる駆動モータ３８とから構成される。
【００４２】
前記支持機構３５は、駆動モータ３８の出力軸の軸線が上下方向に沿うようにこの駆動モータ３８を支持する支持基台３６と、支持基台３６の上面に配設され、回転軸１０ｃをその軸線中心に回転自在に支持する支持部材３７とからなる。尚、回転軸１０ｃと駆動モータ３８の出力軸とはカップリング３９を介して連結され、また、支持機構３５及び回転軸１０ｃは、回転軸１０ｃの上端側が突出するようにカバー体３４により覆われている。
【００４３】
このように構成された遊戯装置２では、駆動モータ３８が駆動されると、回転軸１０ｃが軸線中心に回転してポール１３が回転軸１０ｃの軸線回りに旋回移動するので、遊戯者Ｙは、上記と同様にして遊ぶことができる。また、ポール１３の上端側が湾曲しているので、ポール１３自体に変化を持たせて、ポールがまっすぐに形成されているときよりもポール１３の登り降りに変化を持たせたり、ポール１３の登り降りを難しくすることができ、当該遊戯装置２での遊びをより面白いものとすることができる。
【００４４】
また、ポール１３は、図５及び図６に示した形状の他、特に図示はしないが、左右にくねるように設けられた湾曲部や屈曲部を両端部間に備えるように形成することもでき、このようにしても、ポール１３の登り降りに変化を持たせたり、ポール１３の登り降りを難しくすることができる。
【００４５】
また、前記押しボタン１９は、これが押されたときに順位が出力されるのではなく、例えば、適宜音声（音楽や人の声など）を出力する回路のスイッチが入って音声が出力されたり、適宜ランプを点灯させる回路のスイッチが入ってランプが点灯するように構成されていても良い。
【００４６】
また、前記エアクッション３０は、上述したものに限られるものではなく、また、エアクッション３０に代えて、例えば、ばねやゴム、スポンジといった弾性体を利用したクッションを採用することもできる。また、シート部材３１に適宜装飾を施して子供達に興味を持たせるようにしても良い。
【００４７】
また、遊戯者Ｙがポール１３を登り降りするように遊戯装置１，２を構成するのではなく、図７乃至図１０に示すように、遊戯者Ｙが旋回部材４５にぶら下がって旋回移動するように遊戯装置３，４を構成することもできる。
【００４８】
前記遊戯装置３は、図７乃至図９に示すように、円板状に形成され、水平回転自在に設けられる回転体４０と、回転体４０の上面に固設された支持体４１と、支持体４１から吊り下げロープ４４により吊り下げられて回転体４０の回転中心軸（回転軸４０ｂの軸線）に対し偏心した位置（後述する支持パイプ４９の外周面から一定間隔を隔てた位置）に配置され、回転体４０の回転により旋回移動する複数（本例では６個）の旋回部材４５と、回転体４０を水平回転自在に支持する支持機構４６と、回転体４０を水平回転させる駆動モータ５３と、旋回部材４５の下方領域に配置されたエアクッション５５とを備えて構成される。尚、図７は、本発明の他の実施形態に係る遊戯装置の概略構成を示した斜視図であり、図８は、図７に示した遊戯装置の断面図であり、図９は、図７に示した遊戯装置の平面図である。
【００４９】
前記回転体４０は、外周側下面に形成された環状のスカート部４０ａと、上端部が下面中央部に固設され、支持パイプ４９の内部に配置される回転軸４０ｂとからなり、回転軸４０ｂがその軸線中心に回転することで水平回転する。また、前記スカート部４０ａは、支持パイプ４９の上端部に回転自在に外嵌されており、遊戯者Ｙが回転体４０と支持パイプ４９との間に手を挟んで怪我するのを防止する。
【００５０】
前記支持体４１は、一端側が回転体４０の上面にそれぞれ接続されて、回転体４０の回転軸４０ｂの軸線を中心として放射状且つ円周方向等間隔に配置され、他端側に吊り下げロープ４４がそれぞれ接続された複数（本例では６本）の支持アーム４２と、環状に形成され、各支持アーム４２の一端側をそれぞれ連結，固定する連結部材４３とからなる。尚、各支持アーム４２は、それぞれ半円状に形成された部材から構成されている。
【００５１】
前記旋回部材４５は、例えば、球状や環状、円柱状に形成されており、旋回部材４５と吊り下げロープ４４との付け根部分や、旋回部材４５の外周面、旋回部材４５の環状内周面などが、遊戯者Ｙが掴まってぶら下がる掴持部として機能する。尚、支持体４１及び旋回部材４５は、特許請求の範囲に言う遊戯用構造物である。
【００５２】
前記支持機構４６は、円板状に形成された基台４７と、基台４７の上面中央部に配設された円柱状の支持台４８と、両端部が開口して内部が中空に形成され、軸線が上下方向に沿うように支持台４８の上面に載置，固定された支持パイプ４９と、支持パイプ４９の内部で支持台４８の上面に載置，固定され、駆動モータ５３の出力軸の軸線が上下方向に沿うようにこの駆動モータ５３を支持する支持ブロック５０と、支持ブロック５０の上面に配設され、回転軸４０ｂの下端部をその軸線中心に回転自在に支持する下部支持部材５１と、支持パイプ４９の上端部内周面に固設され、回転軸４０ｂの上端部をその軸線中心に回転自在に支持する上部支持部材５２とからなる。尚、回転軸４０ｂの下端部と駆動モータ５３の出力軸とはカップリング５４を介して連結されている。また、支持パイプ４９の外面は、図示しない適宜衝撃吸収材によって覆われており、これによって、遊戯者Ｙが怪我するのが防止されている。
【００５３】
前記エアクッション５５は、可撓性を有し、内部に閉塞空間を備えたシート部材５６と、前記閉塞空間内に空気を供給，充填して内圧を高め、シート部材５６を膨らませるブロワ５７とからなる。
【００５４】
前記シート部材５６は、ブロワ５７により充填された空気によって膨らんだときに、中央部に半球状をした部分が形成され、その周りに大きさの異なる３つの環状をした部分が形成されるように構成されており、一番外側に位置する環状部分が外部にはみ出した状態で支持機構４６の基台４７の上面に設けられる。また、シート部材５６は、中央部に支持パイプ４９が上下に貫通する貫通穴５６ａを備える。尚、前記閉塞空間内は、環状の仕切部５６ｂ，５６ｃ，５６ｄによって複数の空間に仕切られており、仕切られた各空間は、適宜形成された連通孔５６ｅによって互いに連通している。
【００５５】
前記ブロワ５７は、シート部材５６の外部で基台４７の近傍に配置されており、前記閉塞空間内に接続した吐出管５７ａを備える。このブロワ５７が作動すると、適宜吸気管（図示せず）からブロワ５７の内部に空気が吸気され、所定圧力の空気となって吐出管５７ａから閉塞空間内に吐出される。
【００５６】
このように構成された遊戯装置３によれば、まず、ブロワ５７が作動せしめられる。これにより、閉塞空間内に空気が供給，充填されて内圧が高められ、シート部材５６が膨らんだ状態となる。ついで、駆動モータ５３が駆動されて回転軸４０ｂが軸線中心に回転し、回転体４０が水平回転すると、支持アーム４２が回転して旋回部材４５が回転軸４０ｂの軸線回りに旋回移動する。
【００５７】
そして、遊戯者Ｙは、このようにして旋回移動する旋回部材４５の掴持部に掴まってぶら下がったり、ぶら下がって旋回部材４５を揺することで遊ぶことができる。旋回部材４５が回転軸４０ｂの軸線回りに旋回移動しているので、遊戯者Ｙは、ぶら下がった状態で旋回移動するときの感覚を楽しみつつ当該遊びを楽しむことができる。
【００５８】
したがって、このように遊戯装置３を構成しても、遊戯者Ｙは、旋回部材４５に掴まってぶら下がったり、旋回部材４５を揺する遊戯者Ｙ自身の動作と、旋回部材４５の旋回動作とが複合して、従来にない、変化に富んだ遊びや感覚を楽しむことができる。また、支持アーム４２や旋回部材４５、遊戯者Ｙの回転動作を見た、当該遊戯装置３の周りにいる子供達に対し、当該遊戯装置３で遊びたいという興味を持たせてこの遊戯装置３で遊ばせるようにすることもできる。
【００５９】
また、連結部材４３によって複数の支持アーム４２をそれぞれ連結，固定しており、各支持アーム４２を等間隔で配置するのに好都合である。
【００６０】
また、基台４７の上面にエアクッション５５が設けられているので、遊戯者Ｙが誤って旋回部材４５から落下するようなことがあっても、エアクッション５５によって衝撃を緩和し、怪我するのを効果的に防止することができる。
【００６１】
一方、前記遊戯装置４は、図１０に示すように、前記回転体１０と、回転体１０の上部円板１０ａの上面に固設された支持体６０と、支持体６０から吊り下げロープ４４により吊り下げられて回転体１０の回転軸１０ｃの軸線に対し偏心した位置に配置され、回転体１０の回転により旋回移動する複数の旋回部材４５と、前記支持機構２０と、前記回転駆動機構２５と、球状に形成されてその外周面に適宜図示しない装飾が施され、支持体６０に下部が支持された装飾体６３とを備えて構成される。尚、装飾体６３は、子供達の気を引くために設けられるものである。また、図１０は、本発明の他の実施形態に係る遊戯装置の概略構成を示した断面図である。
【００６２】
前記支持体６０は、円弧状の部材からなり、回転体１０の円周方向等間隔に配置されて、一方端が上部円板１０ａの上面に固設された複数の第１フレーム６１と、環状の部材からなり、各第１フレーム６１に水平面内で接続するように、且つ高さ位置がそれぞれ異なるように設けられる複数の第２フレーム６２とを備える。各第２フレーム６２は、回転軸１０ｃの軸線と同軸に設けられる。
【００６３】
一番上側に位置する第２フレーム６２は、各第１フレーム６１の他端に接続され、また、吊り下げロープ４４が接続されている。また、一番上側に位置する第２フレーム６２には、装飾体６３の下部が適宜取り付けられている。尚、支持体６０及び旋回部材４５は、特許請求の範囲に言う遊戯用構造物である。また、各フレーム６１，６２の外面は、図示しない適宜衝撃吸収材によって覆われており、これによって、遊戯者Ｙが怪我するのが防止されている。
【００６４】
この遊戯装置４によっても、回転駆動機構２５による回転体１０の回転により支持体６０が回転して旋回部材４５が回転軸１０ｃの軸線回りに旋回移動するので、遊戯者Ｙは、前記遊戯装置３と同様にして遊ぶことができ、上記と同様の効果を得ることができる。
【００６５】
また、前記旋回部材４５やエアクッション５５は、上述した形状に限られるものではなく、また、エアクッション５５に代えて、例えば、ばねやゴム、スポンジといった弾性体を利用したクッションを採用しても良い。また、シート部材５６に適宜装飾を施して子供達に興味を持たせるようにしても良い。
【００６６】
また、前記旋回部材４５は、同一ピッチ円上に配置するのではなく、異なる大きさのピッチ円上に配置するようにしても良い。
【００６７】
また、遊戯者Ｙがポール１３を登り降りするように遊戯装置１，２を構成したり、遊戯者Ｙが旋回部材４５にぶら下がって旋回移動するように遊戯装置３，４を構成するのではなく、図１１乃至図１５に示すように、遊戯者Ｙが所定の遊戯領域Ｓ内でジャングルジムに類似した遊戯を行うように遊戯装置５を構成することもできる。
【００６８】
前記遊戯装置５は、図１１乃至図１５に示すように、前記回転体１０と、回転体１０の上面に固設され、外部空間から仕切られた、遊戯者Ｙが遊戯する遊戯領域Ｓを形成するための枠体７０と、枠体７０に係着されて遊戯領域Ｓを形成する仕切部材７１と、遊戯領域Ｓを水平方向に横切るように枠体７０に掛け渡された複数のビーム７２と、枠体７０及びビーム７２に支持され、遊戯領域Ｓを複数の階層状の空間に区分けする複数の床部７３と、前記支持機構２０と、前記回転駆動機構２５とを備えて構成される。
【００６９】
尚、図１１は、本発明の他の実施形態に係る遊戯装置の概略構成を示した斜視図であり、図１２は、図１１における矢示Ｃ−Ｃ方向の断面図であり、図１３は、図１１における矢示Ｄ−Ｄ方向の断面図である。また、図１４は、図１２における矢示Ｅ−Ｅ方向の断面図であり、図１５は、図１２における矢示Ｆ−Ｆ方向の断面図である。また、前記枠体７０，仕切部材７１，ビーム７２及び床部７３は、特許請求の範囲に言う遊戯用構造物を構成する。
【００７０】
前記枠体７０は、棒状をした複数の部材を縦，横に組み合わせて平面視８角形に構成されており、各構成部材の外面は、図示しない適宜衝撃吸収材によって覆われ、遊戯者Ｙが怪我しないように構成される。
【００７１】
前記仕切部材７１は、可撓性を有するシート状の部材から構成されるもので、枠体７０を構成する各部材間に張り渡されており、外面には適宜図示しない装飾が施されて子供達の気を引くようになっている。また、仕切部材７１には、外部空間と遊戯領域Ｓとを連通し且つ遊戯者Ｙが出入り可能な開口部７１ａが形成されている。
【００７２】
前記ビーム７２は、上下方向に異なる２つの高さ位置で８角形の向かい合う頂点間を接続するように設けられる。前記各床部７３は、可撓性を有するシート状の部材７３ａが２つ設けられて構成されるもので、枠体７０を構成する各部材及びビーム７２間に張り渡されており、遊戯領域Ｓを上下方向に３つの空間に仕切る。また、前記床部７３は、図１４及び図１５の符号７３ｂで示した部分にシート状の部材７３ａが設けられず、上下に隣り合う空間を互いに連通させる連通部７３ｂとなっており、この連通部７３ｂによって、最上層の空間と真ん中の空間、及び真ん中の空間と最下層の空間とがそれぞれ連通し、遊戯者Ｙが上層側や下層側に移動可能となっている。また、上側の床部７３の連通部７３ｂと下側の床部７３の連通部７３ｂとは、それぞれ異なる位置に設けられる。
【００７３】
尚、前記回転体１０の上部円板１０ａの上面には、適宜図示しないクッションが設けられるとともに、床部７３の上面は図示しない適宜衝撃吸収材によって覆われ、遊戯者Ｙが怪我するのが防止されている。
【００７４】
このように構成された遊戯装置５によれば、回転駆動機構２５によって回転体１０が水平回転せしめられると、枠体７０，仕切部材７１，ビーム７２及び床部７３が回転体１０とともに一体的に回転する。
【００７５】
そして、遊戯者Ｙは、ジャングルジムのように、遊戯領域Ｓ内を、ビーム７２を伝って横方向に移動したり、床部７３上を横方向に移動したり、床部７３の連通部７３ｂから上下方向に移動することで遊ぶことができる。回転体１０の回転によってビーム７２及び床部７３などが回転しているので、遊戯者Ｙは、ビーム７２及び床部７３などが回転するときの感覚を楽しみつつ当該遊びを楽しむことができる。
【００７６】
したがって、このように遊戯装置５を構成しても、遊戯者Ｙは、遊戯領域Ｓ内で遊ぶ遊戯者Ｙ自身の動作と、枠体７０，仕切部材７１，ビーム７２及び床部７３の回転動作とが複合して、従来にない、変化に富んだ遊びや感覚を楽しむことができる。また、枠体７０，仕切部材７１，ビーム７２及び床部７３の遊戯者Ｙの回転動作を見た、当該遊戯装置５の周りにいる子供達に対し、当該遊戯装置５で遊びたいという興味を持たせてこの遊戯装置５で遊ばせるようにすることもできる。
【００７７】
また、回転体１０の上面にクッション（図示せず）が設けられているので、遊戯者Ｙが誤ってビーム７２や床部７３から落下するようなことがあっても、クッション（図示せず）によって衝撃を緩和し、怪我するのを効果的に防止することができる。
【００７８】
尚、前記枠体７０は、棒状の部材と環状の部材とを複数組み合わせて平面視円形に構成しても良く、仕切部材７１や床部７３は、シート状の部材ではなく、板状の部材から構成しても良い。また、ビーム７２及び床部７３は、そのどちらか一方を省略して構成することもできる。また、前記連通部７３ｂは、シート状の部材７３ａを設けない部分を設けることで構成するのではなく、床部７３を１つの部材から構成してこの部材に適宜貫通穴を形成することで構成するようにしても良い。
【図面の簡単な説明】
【００７９】
【図１】本発明の一実施形態に係る遊戯装置の概略構成を示した斜視図である。
【図２】図１に示した遊戯装置の断面図である。
【図３】図２における矢示Ａ−Ａ方向の断面図である。
【図４】図２における矢示Ｂ−Ｂ方向の断面図である。
【図５】本発明の他の実施形態に係る遊戯装置の概略構成を示した斜視図である。
【図６】図５に示した遊戯装置の断面図である。
【図７】本発明の他の実施形態に係る遊戯装置の概略構成を示した斜視図である。
【図８】図７に示した遊戯装置の断面図である。
【図９】図７に示した遊戯装置の平面図である。
【図１０】本発明の他の実施形態に係る遊戯装置の概略構成を示した断面図である。
【図１１】本発明の他の実施形態に係る遊戯装置の概略構成を示した斜視図である。
【図１２】図１１における矢示Ｃ−Ｃ方向の断面図である。
【図１３】図１１における矢示Ｄ−Ｄ方向の断面図である。
【図１４】図１２における矢示Ｅ−Ｅ方向の断面図である。
【図１５】図１２における矢示Ｆ−Ｆ方向の断面図である。
【符号の説明】
【００８０】
１    遊戯装置
１０  回転体
１１  上部部材
１２  支柱
１３  ポール
１９  押しボタン
２０  支持機構
２１  基台
２２  軌条
２３  環状部材
２４  支持ローラ
２５  回転駆動機構
２６  駆動モータ
２７  ケース
３０  エアクッション
３１  シート部材
３２  ブロワ
Ｙ    遊戯者
【図１】
2011072801.tif 000003
【図２】
2011072801.tif 000004
【図３】
2011072801.tif 000005
【図４】
2011072801.tif 000006
【図５】
2011072801.tif 000007
【図６】
2011072801.tif 000008
【図７】
2011072801.tif 000009
【図８】
2011072801.tif 000010
【図９】
2011072801.tif 000011
【図１０】
2011072801.tif 000012
【図１１】
2011072801.tif 000013
【図１２】
2011072801.tif 000014
【図１３】
2011072801.tif 000015
【図１４】
2011072801.tif 000016
【図１５】
2011072801.tif 000017